(57)【要約】【課題】  障子の框内に取付けた機能部品が室内から見えないようにできると共に、必要時には、その機能部品を操作等できるサッシとする。【解決手段】  障子２の召合せ框２２内に機能部品４を取付け、この召合せ框２２の室内側部にカバー材５を取付け、そのカバー材５は機能部品４を覆う閉じ状態と機能部品４が室内側に露出する開放状態に亘って揺動自在で、通常時にはカバー材５を閉じ状態として機能部品４が室内側から見えないようにし、必要時にはカバー材５を開放状態として機能部品４を室内側から操作等できるようにしたサッシ。【選択図】  図２
2005068702.tif 000002
【特許請求の範囲】
【請求項１】
サッシ枠に障子を開閉自在に装着したサッシにおいて、
前記障子の框内部に機能部品を取付けると共に、この框の室内側部にカバー材を設け、
前記カバー材は、機能部品を覆う閉じ状態と、機能部品が露出する開放状態とに亘って揺動自在に取付けたことを特徴とするサッシ。
【請求項２】
カバー材は、閉じ状態において面外方向室内側に揺動可能に支持する面内方向一側方位置と、面外方向に動かないように支持する面内方向他側方位置とに亘って面内方向に移動自在である請求項１記載のサッシ。
【請求項３】
カバー材は、本体部と一側取付部と他側取付部を備え、
框の室内側部には一側被取付部と他側被取付部がそれぞれ設けてあり、
前記一側取付部は一側被取付部に、面内方向一側方位置と面内方向他側方位置とに亘って移動自在に支持され、かつ面内方向一側方位置の時には面外方向室内側に揺動自在に支持され、
前記他側取付部は、前記一側取付部が面内方向一側方位置の時には他側被取付部と離隔し、前記一側取付部が面内方向他側方位置の時には他側被取付部に面外方向に動かないように支持される請求項２記載のサッシ。
【請求項４】
カバー材の一側取付部は、本体部に設けた長尺な基片と横片と短尺な先端片でほぼ鉤形状で、框の一側被取付部は、前記横片と先端片が面内方向に移動自在に嵌まり合うと共に、その先端片が面外方向室内側に揺動自在に嵌まり合う凹部を有するほぼコ字形状で、
前記框の他側被取付部は、前記カバー材の他側取付部が面内方向に移動自在に嵌まり合うほぼコ字形状である請求項３記載のサッシ。
【発明の詳細な説明】
【技術分野】
【０００１】
本発明は、引き違い窓、片引き窓などのスライディングサッシ、外開きサッシ、内開きサッシ等のサッシ枠に障子を開閉自在に装着したサッシに関する。
【背景技術】
【０００２】
特許文献１に引き違い窓が開示されている。
この引き違い窓は、サッシ枠の室内寄りに内障子、サッシ枠の室外寄りに外障子を面内方向にそれぞれ移動自在に装着し、その内障子、外障子が閉じ位置において内障子の召合せ框と外障子の召合せ框をクレセント錠で施錠する。例えば、内障子の召合せ框にクレセントを取付け、外障子の召合せ框にクレセント受けを取付け、そのクレセントをクレセント受けに係合して施錠している。
【０００３】
前述の引き違い窓は、クレセント及びクレセント受けが召合せ框の面内方向側面から露出しているので、それらを室外側から目視でき、そのクレセント、クレセント受けの近くの窓ガラスを破って手を差し込めば簡単に解錠操作ができ、防犯上好ましくない。
このことを解消するために、特許文献２に召合せ框の内部にクレセント、クレセント受けを取付け、それらを室外側から目視できないようにした引き違い窓が開示されている。
【０００４】
【特許文献１】特開平５−３４０１６６号公報
【特許文献２】特開２００３−３７１６号公報
【発明の開示】
【発明が解決しようとする課題】
【０００５】
前述した従来の引き違い窓は、召合せ框に、その室内側面に開口した凹部を形成し、この凹部にクレセント、クレセント受けが収納して取付けてあるので、室内側から見た時にクレセント、クレセント受けが見えると共に、その凹部が見えるから、見栄えが悪い。
【０００６】
本発明は、前述の課題に鑑みなされたものであって、その目的は、障子の框内に取付けた機能部品が室内側から目視されないと共に、必要時には、その機能部品を室内から操作等できるようにしたサッシを提供することである。
【課題を解決するための手段】
【０００７】
第１の発明は、サッシ枠に障子を開閉自在に装着したサッシにおいて、
前記障子の框内部に機能部品を取付けると共に、この框の室内側部にカバー材を設け、
前記カバー材は、機能部品を覆う閉じ状態と、機能部品が露出する開放状態とに亘って揺動自在に取付けたことを特徴とするサッシである。
【０００８】
第２の発明は、第１の発明においてカバー材は、閉じ状態において面外方向室内側に揺動可能に支持する面内方向一側方位置と、面外方向に動かないように支持する面内方向他側方位置とに亘って面内方向に移動自在であるサッシである。
【０００９】
第３の発明は、第２の発明においてカバー材は、本体部と一側取付部と他側取付部を備え、
框の室内側部には一側被取付部と他側被取付部がそれぞれ設けてあり、
前記一側取付部は一側被取付部に、面内方向一側方位置と面内方向他側方位置とに亘って移動自在に支持され、かつ面内方向一側方位置の時には面外方向室内側に揺動自在に支持され、
前記他側取付部は、前記一側取付部が面内方向一側方位置の時には他側被取付部と離隔し、前記一側取付部が面内方向他側方位置の時には他側被取付部に面外方向に動かないように支持されるサッシである。
【００１０】
第４の発明は、第３の発明においてカバー材の一側取付部は、本体部に設けた長尺な基片と横片と短尺な先端片でほぼ鉤形状で、框の一側被取付部は、前記横片と先端片が面内方向に移動自在に嵌まり合うと共に、その先端片が面外方向室内側に揺動自在に嵌まり合う凹部を有するほぼコ字形状で、
前記框の他側被取付部は、前記カバー材の他側取付部が面内方向に移動自在に嵌まり合うほぼコ字形状であるサッシである。
【発明の効果】
【００１１】
請求項１に係る発明によれば、カバー材を閉じ状態とすることで框内に取付けた機能部品を覆って室内側から目視されないようにできる。
前記カバー材を開放状態とすることで前述の機能部品が室内に露出するので、必要時に、その機能部品を室内から操作等できる。
【００１２】
請求項２に係る発明によれば、カバー材を閉じ状態で面内方向他側方位置とすることで、カバー材が面外方向に動かないように支持できる。
前述の状態からカバー材を面内方向に移動して面内方向一側方位置としてから室内側に揺動してカバー材を開放状態とするので、その操作がやり易い。
【発明を実施するための最良の形態】
【００１３】
図１に示すように、サッシ枠１に障子２が開閉自在に装着され、この障子２の框３内部に機能部品４が取付けてあり、その框３の室内側部にカバー材５を設けて機能部品４を覆うことで、室内側から見えないようにしてある。
前記カバー材５は框３に、機能部品４を覆う閉じ状態と、機能部品４が露出する開放状態とに亘って揺動自在に取付けてある。
よって、必要時にはカバー材５を開放状態に揺動することで機能部品４を操作等でき、通常時にはカバー材５を閉じ状態に揺動して機能部品４を覆って室内側から見えないようにする。
【００１４】
図１においては、サッシ枠１の室内寄りに内障子２ａ、室外寄りに外障子２ｂが面内方向に移動自在にそれぞれ装着されて引き違いサッシとしてある。
図１に示すサッシ枠１は、上枠１０と下枠１１と左右の縦枠１２を方形状に連結したものである。
前記内障子２ａは上框２０と下框２１と召合せ框２２と戸当り框２３を方形状に連結し、その内部にガラス２４を取付けてある。
前記外障子２ｂは上框３０と下框３１と召合せ框３２と戸当り框３３を方形状に連結し、その内部にガラス３４が取付けてある。
【００１５】
前記機能部品４は図２に示すように、内障子２ａの召合せ框２２内部に取付けた本体４ａと、この本体４ａに設けた錠杆４ｂを備え、召合せ框２２の室内側面の開口部２２ａから本体４ａの操作部４ｃを操作することで錠杆４ｂが出没して外障子２ｂの召合せ框３２の穴３２ａに嵌合、抜け出して施錠する錠である。
【００１６】
前記カバー材５は召合せ框２２(框３）の室内側部に次のように取付けることが好ましい。
すなわち、前記カバー材５は閉じ状態において図３に示す面内方向一側方位置と図２に示す面内方向他側方位置とに亘って面内方向に移動自在に取付けられる。
そして、カバー材５が面内方向一側方位置であると、例えば図４に示すように面内方向室内側に向けて揺動自在で、カバー材５が面内方向他側方位置であるとカバー材５が面外方向に動かないように支持する。
【００１７】
このようにすれば、カバー材５を面内方向他側方位置とすることで面外方向に動かないように支持でき、この状態からカバー材５を面外方向一側方位置に移動して室内側に揺動できるから、その操作が容易である。
【００１８】
また、カバー材５が面内方向他側方位置の時に、カバー材５の面内方向一側部５ａ、他側部５ｂと召合せ框２２の室内側における面内方向一側部２２ｂ、他側部２２ｃがそれぞれほぼ面一、好ましくはそれぞれ面一に連続するようにしても良い。
このようにすれば、カバー材５を閉じ状態で面内方向他側方位置とした時にカバー材５の面内方向一側部５ａ、他側部５ｂと召合せ框２２の室内側における面内方向一側部２２ｂ、他側部２２ｃがそれぞれほぼ面一となって室内からの見栄えが良い。
【００１９】
また、カバー材５を面内方向一側方位置とした時に図３に示すように、カバー材５の面内方向一側部５ａが召合せ框２２の面内方向一側部２２ｂから側方に突出するようにしても良い。このようにすれば、カバー材５を図４に示すように揺動した時にカバー材５の面内方向一側部５ａと召合せ框２２の面内方向一側部２２ｂが干渉しないから、カバー材５をスムーズに揺動できる。
この場合には、カバー材５が面内方向他側方位置の時にカバー材５の面内方向一側部５ａ、他側部５ｂと召合せ框２２の室内側における面内方向一側部２２ｂ、他側部２２ｃがそれぞれ面一であっても良いし、面一でなくても良い。
【００２０】
次に、カバー材５を前述のように取付ける具体形状について説明するが、この形状に限ることはなく他の取付け形状であっても良い。
カバー材５は図２に示すように、本体部４０と、この本体部４０の面内方向一側寄りに設けた一側取付部４１と、本体部４０の面内方向他側寄りに設けた他側取付部４２を備えている。
前記召合せ框２２（つまり、本発明に係る框３）の室内側部における面内方向一側寄りと他側寄りに一側被取付部４３と他側被取付部４４がそれぞれ設けてある。
【００２１】
前記本体部４０の面内方向寸法と召合せ框２２の室内側の面内方向寸法はほぼ同一、好ましくは同一である。
前記一側取付部４１は一側被取付部４３に面内方向一側方位置と面内方向他側方位置とに亘って面内方向に移動自在に取付けられ、かつ面内方向一側方位置（例えば、図２で右方位置）に移動すると面外方向室内側に向けて揺動可能に支持される。
前記他側取付部４２は他側被取付部４４に面内方向に移動自在で、かつ面外方向には動かないように取付けられ、かつ前記一側取付部４１が面内方向一側方位置であると他側取付部４２が他側被取付部４４と外れて面外方向室内側に移動可能となる。
【００２２】
このようであるから、一側・他側取付部４１，４２を一側・他側被取付部４３，４４に取付けることで、カバー材５は召合せ框２２の室内側部に面内方向一側方位置と面内方向他側方位置とに亘って移動自在に取付けられる。
例えば、カバー材５を長手方向にスライドして取付ける。
【００２３】
そして、カバー材５を面内方向他側方位置とすると、一側取付部４１が図２に示すように面内方向他側方位置となり、他側取付部４２が他側被取付部４４に面外方向に動かないように支持されると共に、本体部４０の面内方向一側部４０ａ、他側部４０ｂが召合せ框２２の面内方向一側部２２ｂ、他側部２２ｃとほぼ面一、好ましくは面一となり、召合せ框２２の内部に取付けた機能部品４を覆って室内から見えないようにする。
【００２４】
この状態からカバー材５を図２で矢印ａで示すように面内方向一側方に移動して一側取付部４１を図３に示すように面内方向一側方位置とすることでカバー材５が面内方向一側方位置となる。
この状態で、一側取付部４１を一側被取付部４３に対して面外方向室内側に揺動することで、図４に示すようにカバー材５が開放状態となり、機能部品４が露出し、室内側から機能部品４を操作できる。
【００２５】
次に、召合せ框２２とカバー材５の具体形状を説明する。
召合せ框２２は、面外方向に向かう一側面板５０と他側面板５１と面内方向に向かう室内側連結板５２、中間連結板５３、室外側連結板５４で中空部を有する断面形状で、その一側面板５０、他側面板５１は室内側連結板５２よりも室内側に突出し、かつ内向片５５，５６を有する。この突出部が前述の室内側の面内方向一側部２２ｂ，他側部２２ｃである。
前記室内側連結板５２に穴５２ａが形成され、その穴５２ａが前述の開口部２２ａである。
前記中間連結板５３、室外側連結板５４に穴５３ａ，５４ａが形成され、この穴５３ａ，５４ａに機能部品４が挿入して取付けてある。
【００２６】
前記一側面板５０の突出部分と内向片５５と室内側連結板５２で前述の一側被取付部４３を形成し、この実施の形態では面内方向他側に開口したほぼコ字形状である。
この内向片５５の内側面（室外側面）には凹部５５ａが形成され、外側面（室内側面）には段部５５ｂが形成してある。前記凹部５５ａは断面ほぼ半円形状である。
前記他側面板５１の突出部分と内向片５６と室内側連結板５２で前述の他側被取付部４４を形成し、この実施の形態では面内方向一側に開口したほぼコ字形状である。
【００２７】
前記カバー材５の本体部４０は板状で、前記一側取付部４１、他側取付部４２は長尺な基片６０と横片６１と短尺な先端片６２でほぼ鉤形状で、その基片６０が本体部４０に一体的に設けられて面外方向室外側に向かい、その室外側端に横片６１が面内方向に向けて一体的に設けられ、この横片６１の端部に先端片６２が面外方向室内側に向けて一体的に設けてある。
前記横片６１と先端片６２の端面が一側、他側被取付部４３，４４の対向面（室内側連結板５２と内向片５５，５６）に接していると共に、本体部４０が内向片５５，５６の室内側面に接するようにしてある。
【００２８】
このようであるから、図２に示すようにカバー材５が閉じ状態であると、本体部４０の面内方向一側部４０ａが内向片５５の段部５５ｂに当接して面内方向他側方位置に保持され、本体部４０が内向片５５，５６の室内側面に接すると共に、一側面板５０、他側面板５１と面一に連続し、見栄えが良い。
【００２９】
前述の状態から矢印ａ方向に移動して図３に示すように面内方向一側方位置とすると、一側取付部４１の先端片６２が一側面板５０の突出部分に接して位置決めすると共に、その先端片６２が内向片５５の凹部５５ａに嵌まり合い、他側取付部４２の先端片６２が内向片５６と離れる。
この時、室内側連結板５２と一側面板５０の突出部分のコーナー部は斜めとなり、横片６１が斜めのコーナー部５７に接することで面外方向室内側に押されて先端片６２が凹部５５ａに嵌まり合うようにしてある。
【００３０】
前述の状態からカバー材５を矢印ｂ方向に揺動することで、一側取付部４１の先端片６２が内向片５５の凹部５５ａに対して揺動し、カバー材５はスムーズに揺動する。
そして、図４に示すようにほぼ９０度揺動した時に本体部４０が召合せ框２２に干渉しないようになる。
すなわち、カバー材５を面内方向一側方に移動した後に、そのカバー材５の面内方向一側寄り部を支点として揺動するので、面内方向他側方位置においてカバー材５の面内方向一側部５ａが召合せ框２２の面内方向一側部２２ｂとほぼ面一であっても、面内方向一側方位置の時には、そのカバー材５の面内方向一側部５ａが召合せ框２２の面内方向一側部２２ｂよりも側方に突出するので、両者が干渉しないようにできる。
【００３１】
次に、カバー材５の取付けの他の実施の形態を説明する。
図５に示すように、カバー材５の面内方向一側寄り部（一側取付部４１）を召合せ框２２の面内方向一側寄り部（一側被取付部４３）に揺動自在に取付ける。
この場合には、カバー材５の面内方向一側部（本体部４０）の面内方向一側部を召合せ框２２の面内方向一側部（一側面板５０）とほぼ面一とすると、カバー材５を揺動して開放状態とした時にカバー材５の面内方向一側部と召合せ框２２の面内方向一側部が干渉するが、この実施の形態では一側被取付部４３を形成する一側面板５０の突出部分５０ａを他の部分５０ｂよりも面内方向他側寄りにずらして段差部５０ｃを形成し、干渉しないようにしてある。
【００３２】
また、図示は省略するが磁石やラッチを用いてカバー材５を閉じ状態で保持するようにしても良い。
【００３３】
次に、本発明の第２の実施の形態を図６と図７に基づいて説明する。
この実施の形態は、サッシ枠１に障子２を室外側に向けて回動自在に取付けた外開きサッシであること及び機能部品の構成が前述の実施の形態と異なり、カバー材５の取付けは同様である。
図６に示すように、サッシ枠１は上枠１０と下枠１１と左右の縦枠１２を方形状に連結したもので、障子２は上框２５と下框２６と左右の縦框２７を方形状に連結し、その内部にガラス２８を取付けてある。
そして、一方の縦枠１２と一方の縦框２７が図示しないヒンジで室外側に回動自在に取付けられて外開きサッシとしてあり、図７に示すように他方の縦框２７の内部に機能部品である錠６が取付けてあると共に、その他方の縦框２７にカバー材５が取付けてある。
【００３４】
前記錠６は、図７に示すように縦框２７の面内方向側面２７ａから縦枠１２側に向けて出没自在な錠片６ａを備え、その縦枠１２に取付けた錠受け６ｂの室内側面に接することで施錠し、離脱することで解錠する。
【００３５】
カバー材５の取付けは前述の取付けと同様であるが、一側取付部４１、他側取付部４２及び一側被取付部４３、他側被取付部４４が左右反対として図示してある。
【００３６】
前述の各実施の形態においては機能部品４は障子２を施錠、解錠する錠としたが、これに限ることはなく、換気スイッチや建付調整機構等であっても良い。
前記換気スイッチとは、障子の框に電動式の換気装置を内蔵した場合に、その電動モータを駆動、停止するスイッチである。
【００３７】
前述の実施の形態では召合せ框２２の長手方向全長にカバー材５を取付けしたが、機能部品４を取付けた部分にのみカバー材５を取付けても良い。
【図面の簡単な説明】
【００３８】
【図１】本発明の実施の形態を示す引き違いサッシの内観図である。
【図２】図１のＡ−Ａ拡大断面図である。
【図３】カバー材の揺動する動作説明断面図である。
【図４】カバー材を開放状態とした断面図である。
【図５】カバー材取付けの第２の実施の形態を示す断面図である。
【図６】本発明の第２の実施の形態を示す外開き窓の内観図である。
【図７】図６のＢ−Ｂ拡大断面図である。
【符号の説明】
【００３９】
１…サッシ枠、２…障子、２ａ…内障子、２ｂ…外障子、３…框、４…機能部品、５…カバー材、２２…召合せ框、４０…本体部、４１…一側取付部、４２…他側取付部、４３…一側被取付部、４４…他側被取付部。
【図１】
2005068702.tif 000003
【図２】
2005068702.tif 000004
【図３】
2005068702.tif 000005
【図４】
2005068702.tif 000006
【図５】
2005068702.tif 000007
【図６】
2005068702.tif 000008
【図７】
2005068702.tif 000009